(57)【要約】【課題】横幅を小さくしてコンパクト化を図ることができ、且つ、多数の出力端子を得ることができる端子台を提供する。【解決手段】一枚の導電板２を端子台１の前後方向へ延びる階段形状に形成する。上りと下りの階段形状は端子台1の中央部を挟んで前後方向へ対称になるように形成する。上り段部の下段面１２ａに形成された端子部３と上段面１３ａに形成された端子部３、および下り段部の上段面１３ｂに形成された端子部３と下段面１２ｂに形成された端子部３はそれぞれ千鳥状に設ける。各端子部３は同一の導電板２上に形成されているため電気的に導通し、いずれかの端子部３を入力端子とし残りの端子部３を全て出力端子として使用できる。また、多くの出力端子を得るために導電板２を前後方向へ延ばすことにより端子台の横方向をコンパクト化できる。【選択図】図１
0003151308.tif 000002
【実用新案登録請求の範囲】
【請求項１】
電線に取り付けられた圧着端子を接続する端子部が、複数列に段違いで配設され、その前後段違いの列に配設された端子部が前列と後列とでそれぞれ左右方向へ半極ずつずれた千鳥状に設けられている端子台において、
絶縁性筐体からなるケースと、
上り段部と下り段部が前後方向へ対称に連続する形状に形成され、前記ケースの取付位置に係止されている一枚の導通板と、
前記ケースの上面側を覆うように取り付けられるカバーとを備え、
前記端子部は、前記導通板の各階段面上に設けられ、全ての端子部が電気的に接続されていることを特徴とする端子台。
【請求項２】
前記段部は２段に形成されており、上り段部の下段面には３個、上段面には２個の端子部が設けられ、下り段部の上段面には２個、下段面には３個の端子部が設けられ、前記上り段部と下り段部の上段面は同一面に形成されていることを特徴とする請求項１に記載の端子台。
【請求項３】
前記端子部は、前記導通板に形成されたネジ孔に端子ネジを螺合することにより構成されていることを特徴とする請求項１又は２に記載の端子台。
【請求項４】
前記列方向である左右方向の長さよりも、前記上りと下りの段部が続く前後方向の長さの方が長く構成されていることを特徴とする請求項１から３のいずれかに記載の端子台。
【請求項５】
前記左右方向の長さを２５ｍｍ以下に設定したことを特徴とする請求項１から４のいずれかに記載の端子台。
【考案の詳細な説明】
【技術分野】
【０００１】
本考案は、複数の接続端子を有する端子台に関し、特に、各端子が電気的に接続されるコモン端子台の構造に関するものである。
【背景技術】
【０００２】
従来、端子台による一般的な電源用回路は、汎用の端子台部品を組み合わせることによって構成していた。そして、電源用回路を電源分配用の端子台（コモン端子台）として使用するには、例えば、導通用ショートバーを用いて端子間を接続していた。しかし、このように汎用部材を組合せるものでは、部品点数および組立工数が多いため作業効率が悪いという欠点があった。また、必要端子数が多くなるに従い端子台のサイズも端子が並ぶ横方向に大きくなり、該端子台が用いられる回路内において端子台の設置面積が増加してしまうという問題もあった。そこで、コンパクトなサイズで入力電源を複数の出力電源に分岐することができる分岐端子台装置が下記に示す特許文献１に開示されている。この装置によれば、段違いの複数の端子面を有する導電金具の、一つ以上の端子面に少なくとも一つの入力端子部が設けられ、二つ以上の各端子面に少なくとも一つの出力端子が設けられている。これにより、横方向の寸法を小さく設定することができ、装置全体のサイズのコンパクト化を図ることができる。
【先行技術文献】
【特許文献】
【０００３】
【特許文献１】特開２００７−２９４３３３号公報
【考案の概要】
【考案が解決しようとする課題】
【０００４】
しかしながら、上記特許文献１の分岐端子台装置では、どの端子を入力端子として使用するか予め決められており端子の自由度が低い他、装置の一方側に接続されるケーブルが入力ケーブル、他方側に接続されるケーブルが出力ケーブルと設定されており、出力端子の総数は片方側のみの端子数に限定されるため、必ずしもコンパクトなサイズで十分な出力端子数を確保することはできなかった。
【０００５】
そこで、本考案はこのような事情に鑑みてなされたものであり、横幅を小さくしてコンパクト化を図ることができ、且つ、多数の出力端子を得ることができる端子台の提供を目的とする。
【課題を解決するための手段】
【０００６】
上記課題を解決するために、請求項１に係る端子台の考案は、電線に取り付けられた圧着端子を接続する端子部が、複数列に段違いで配設され、その前後段違いの列に配設された端子部が前列と後列とでそれぞれ左右方向へ半極ずつずれた千鳥状に設けられている端子台において、
絶縁性筐体からなるケースと、
上り段部と下り段部が前後方向へ対称に連続する形状に形成され、前記ケースの取付位置に係止されている一枚の導通板と、
前記ケースの上面側を覆うように取り付けられるカバーとを備え、
前記端子部は、前記導通板の各階段面上に設けられ、全ての端子部が電気的に接続されていることを特徴とするものである。
【０００７】
階段状に形成された導通板の各段面にはそれぞれ複数の端子部が設けられている。全ての端子部は同じ一枚の導通板に設けられているので電気的に接続されており、また、いずれの端子部も同じ構造からなるものであり、入力端子および出力端子としての使用区別はなく、いずれの端子部も入力端子として使用することができ、その場合、他の全ての端子部は出力端子として使用することができる。階段状の段部は端子台の前後方向へ上り部と下り部が対称となるように形成され、各階段面には端子部がそれぞれ複数ずつ設けられるので、より多くの端子部、すなわち多くのコモン出力端子を得ることができる。
【０００８】
また、回路基板上に配置される各電子部品は、回路構成および基板に形成される接続パターン等の関係上、横方向に並べられる傾向にある。回路基板の面積を小さく抑えるためには各部品を小型化することが望ましいが、特に、上記部品配置の傾向より部品の横方向幅を小さく抑えることが望ましい。そこで、本端子台では、導通板の段部を端子台の前後方向へ延びる構成として端子台を前後方向に大きくし、端子台の左右方向の幅を小さく抑えるようにして端子部数を多く確保するようにした。
【０００９】
また、請求項２に係る端子台の考案は、請求項１に記載の考案において、前記段部は２段に形成されており、上り段部の下段面には３個、上段面には２個の端子部が設けられ、下り段部の上段面には２個、下段面には３個の端子部が設けられ、前記上り段部と下り段部の上段面は同一面に形成されていることを特徴とするものである。
【００１０】
端子台の前後方向へ対称に形成された段部は、下段と上段の２段形状に形成されている。前方の下段面および後方の下段面には、横方向に並んで３個の端子部が設けられている。上段面（上り段部の上段面と下り段部の上段面とは共通する面となっている）には、前後２列にそれぞれ２個の端子部が設けられている。したがって、導電板上には合計１０個の端子部が設けられており、このうちの１端子部を入力端子とし、他の９端子部をコモン出力端子して使用することができる。
【００１１】
また、請求項３に係る端子台の考案は、請求項１又は２に記載の考案において、前記端子部は、前記導通板に形成されたネジ孔に端子ネジを螺合することにより構成されていることを特徴とするものである。
【００１２】
また、請求項４に係る端子台の考案は、請求項１から３のいずれかに記載の考案において、前記列方向である左右方向の長さよりも、前記上りと下りの段部が続く前後方向の長さの方が長く構成されていることを特徴とするものである。導通板に形成された段部が端子台の前後方向へ延びる構成として端子台のサイズを前後方向に大きくし導通板上に形成する端子部の数を増加させる。これにより端子台の左右方向の幅を小さく抑えることができ、回路基板上における端子台のレイアウトを容易にした。
【００１３】
また、請求項５に係る端子台の考案は、請求項１から４のいずれかに記載の考案において、前記左右方向の長さを２５ｍｍ以下に設定したことを特徴とするものである。
【考案の効果】
【００１４】
本考案に係る端子台によれば、一枚の導通板を階段状に形成し上り段部と下り段部とが前後方向に対象になるように構成し、各段面上に端子部を設けたので、端子台の横方向の幅を小さく抑えつつ多くの端子部数を確保することができる。各端子部は全て同じ構造を有し同一の導通板上に設けられているので、いずれかの端子部を任意に選択して入力端子とし、他の端子部を全てコモン出力端子として使用することができる。端子部を多く確保するために端子台の前後方向のサイズを延ばし、左右方向のサイズをコンパクト化することができたので、回路基板上における端子台のレイアウトが容易となり、回路基板のコンパクト化を図ることができる。
【図面の簡単な説明】
【００１５】
【図１】本考案に係る端子台の一形態を示す斜視図である。
【図２】図１に示す端子台の分解斜視図である。
【図３】端子台のケースと導通板との構成を示す斜視図である。
【図４】（ａ）は、図１に示す端子台の上面図であり、（ｂ）は、正面図であり、（ｃ）は、側面図である。
【考案を実施するための形態】
【００１６】
以下、本考案に係る端子台の一形態を添付図面に基づいて説明する。
端子台Ｔは、図１、２に示されるように、ケース（本体）１と、導電板２と、端子部３と、記号板４と、端子カバー５から構成されている。
【００１７】
ケース１は、ポリカーボネート樹脂からなる絶縁性を有した筐体である。ケース１の左右両側には端子部３を保護する側壁１１ａ、１１ｂが立設され、ケース1の前後側および上面側は開放状態になっている。この前後側の開放部を介してリード線等の接続部材が各端子部に接続される。
【００１８】
導電板２は、黄銅（ニッケルメッキを施したもの）からなる導電性を有した部材であり、平板形状だったものをケース１に取り付ける際に折り曲げ加工を施して、ケース１に設けられた係止部に係止し固定したものである。
【００１９】
図３にケース１と導電板２との関係を示す。ケース１の中央部には両側壁１１ａ、１１ｂ間を連結する支柱１６が設けられ、ケース1の前後には導電板２の両端部を下面側から支持する支持部２３が設けられている。また、側壁１１ａ、１１ｂ内側には、ケース１に取り付けられる導電板２を係止する係止部１８、１９、２０、２１、２２が設けられている。導電板２は、一方の段部が加工されていない平板の状態（両側の段部が形成されていない平板の状態であってもよい）で、支柱１６の下面と係止部１８、１９上面との間へ係止部１８ａに導電板２の段差部２４が係止するまで嵌入される。その後、プレス加工によって階段状に折り曲げられて各係止部１８から２２及び支持部２３によってケース１の所定の位置に固定される（図１、２）。
【００２０】
導電板２は複数段の階段状に形成されており、先ず、端子台Ｔの前側から後側に向かって上り段部が形成され、次に、端子台Ｔの中央部を境にさらに後側に向かって下り段部が形成されている。上り段部と下り段部とは中央部を挟んで前後方向において対称に形成されている。図に示す形態では、段部は２段に形成されており、端子台Ｔの前面側（図４（ａ）下側）から上り段部を構成する下段面１２ａと上段面１３ａ、そして下り段部を構成する上段面１３ｂ（前記上段面１３ａと同一面上である）と下段面１２ｂが前後方向に連続して対称に形成されている。そして、導電板２を加工して形成されたこの下段面１２および上段面１３にはそれぞれ複数の端子部３が設けられている。導電板２は１枚の板により構成されているため各段面１２、１３に設けられた端子部は互いに電気的に導通している。なお、段部の数はこの他、３段あるいは４段であってもよく、その場合にも一枚の導電板を折り曲げ加工し、上りと下りの段部を前後方向に対称に形成する。
【００２１】
各端子部３は、いずれも同一の構造を有しており、導電板２に形成されたネジ孔１４と該ネジ孔に螺合される端子ネジ１５から構成されている。端子部３には、例えば、電線の端部に取付けられた圧着端子が接続されるが、いずれかの端子部を入力端子として使用することができ、残りの端子部をコモン出力端子として使用することができる。上記のように各端子部３は同一構造を有しているため、どの端子部３を入力端子として任意に選択してもよく、端子台Ｔの前後いずれの方向からでも入力電線を接続することができる。また、同様に出力電線も端子台Ｔの前後いずれの方向からも引き出すことができる。
【００２２】
端子部３は、各段面に設けられている通り、複数列に段違いで配設されている。そして前後段違いの列に配設された端子部は、前列の各端子部の位置に対して後列の各端子部の位置が、隣接する端子部間の距離の半位相分（半極分）だけずれた千鳥状に配設されている。図に示す形態においては、下段面１２ａに設けられた３個の端子部が、上段面１３ａに設けられた２個の端子部に対して左右方向に半極分だけずれて配設され、さらに上段面１３ｂに設けられた２個の端子部が、下段面１２ｂに設けられた３個の端子部に対して左右方向に半極分だけずれて配設されている。また、同一高さの段上に設けられた端子部、すなわち下段面１２ａと１２ｂの端子部、および上段面１３ａと１３ｂの端子部同士は同一の位相に配設されている。したがって、この形態では合計１０個の端子部３が形成されており、１入力の９出力を得ることができる。ただし、各端子部に２個の圧着端子を接続することも可能なため、そのように接続した場合には１入力の１９出力を得ることが可能となる。端子部３を構成する端子ネジ１５には、例えば、Ｍ３×６のネジを使用することができ、電線に取付けた圧着端子を導電板２と端子ネジ１５間にネジ止め接続する。
【００２３】
記号板４は、塩化ビニルからなる部材であり、両側壁１１ａ、１１ｂ間に連結させた支柱１６の上面を覆い、記号板４の端部が両側壁１１ａ、１１ｂに形成された取り付け孔１７に嵌合されて取付けられている。記号板４には各端子部を識別するための記号等が表示される。
【００２４】
端子カバー５は、透明ポリカーボネート樹脂からなり、ケース１の両側壁１１ａ、１１ｂに着脱可能に取り付けられ、ケース１の上面側の開口部を覆いふさいで端子部３を保護するカバーである。上記記号板４は、この端子カバー５の下面と上記支柱１７の上面との間に配置されることになる。端子カバー５は透明材からなるため該カバーを取付けた状態であっても端子部３の接続状態および記号板４の表示内容を容易に確認することができる。
【００２５】
ケース１の下面には、レール（アルミニウム製あるいはスチール製等、３５ｍｍＤＩＮ規格レール）３１を取付けるためのレール溝３２が形成されている（図４（ｃ））。レール３１は断面略コ字状に形成され、外側に突設された側壁縁がケース1のレール溝３２に係合する。レール３１は底部に形成された取付孔３３を介してビスによって制御盤等の回路内に固定される。
【００２６】
上述したように、この形態における端子台Ｔの左右方向に設けた端子部３の数は最大３個であり（下段面１２ａ、１２ｂ上の設けた端子部数）、前後方向に設けた端子部３の数は４個（前側から下段面１２ａと上段面１３ａと上段面１３ｂと下段面１２ｂの４列に設けた端支部数）である。本願端子台Ｔでは左右方向に設ける端子部数を少なくし、前後方向に設ける端子部数を増やすことにより端子台の横幅のスリム化を図っている。電子回路基板上で使用される部品は、一般的な傾向として横方向に並べて配置されることが多い。したがって、部品を効率よく配置し回路基板の縮小化を図るためには部品の横方向のサイズを小さくすることが望ましい。また、電子部品の中にはサイズが縦方向に大きいものも多く、端子台の設計において、端子部数を多く確保するために、端子台の縦方向サイズを他の部品の縦方向サイズ以下に抑えながらも縦方向にそのサイズを大きくし、横方向のサイズを小さくすることは、上記回路基板の縮小化を図るためには非常に有効である。そこで、本願端子台では、階段状に形成した導電板を前後方向へ上りと下り段部が対称になるように構成し、端子台を縦方向（前後方向）に延ばして横方向のサイズをスリム化した。具体的には、例えば、横方向のサイズを２５ｍｍに抑え、縦方向のサイズを６４ｍｍに設定した（図１から４に示す導電板を２段形状に加工した形態のサイズ）。端子部３を構成する端子ネジ１５の大きさ（φ）にもよるが、端子台Ｔの横方向のサイズは２５ｍｍ以下に抑えることも可能である。
また、端子台Ｔは、端子部３の左右方向を側壁１１ａ、１１ｂによって保護され、上方向を端子カバー５によって保護されており、他の端子台と連結されることのない独立タイプの端子台であるから、回路上に配設される周囲の電子部品等と接触する虞は少なく高い安全性を確保することができる。
【符号の説明】
【００２７】
Ｔ    端子台
１    ケース（本体）
２    導電板
３    端子部
４    記号板
５    端子カバー
１１ａ、１１ｂ  側壁
１２ａ、１２ｂ  下段面
１３ａ、１３ｂ  上段面
１４  ネジ孔
１５  端子ネジ
１６  支柱
１８〜２２  係止部
【図２】
0003151308.tif 000003
【図３】
0003151308.tif 000004
【図４】
0003151308.tif 000005
【図１】
0003151308.tif 000006